(57)【要約】【課題】  ボイスコイルボビンの円筒内側にダンパーを設けるスピーカーであっても、製造工程の工数削減が可能な動電型スピーカー、および、その製造方法を提供する。【解決手段】  動電型スピーカーは、樹脂材料を射出成形して形成する振動板と、振動板に連結するボイスコイルと、ボイスコイルが挿入される磁気空隙を有する磁気回路と、ボイスコイルが規定する空間の内部に配されてその内周側が振動板の中央側に連結しその外周側が磁気回路に固着されるダンパーと、を備え、振動板が、薄肉の振動板部と、振動板部の中央側において磁気回路の位置する方向に延設された突起部と、を含み、ダンパーが、振動板の突起部と連結する内周固定部と、磁気回路と連結する外周固定部と、内周固定部と外周固定部とを振動可能に連結する支持可動部と、を含む。【選択図】  図６
2013145994.tif 000002
【特許請求の範囲】
【請求項１】
樹脂材料を射出成形して形成する振動板と、該振動板に連結するボイスコイルと、該ボイスコイルが挿入される磁気空隙を有する磁気回路と、該ボイスコイルが規定する空間の内部に配されてその内周側が該振動板の中央側に連結しその外周側が該磁気回路に固着されるダンパーと、を備え、
該振動板が、薄肉の振動板部と、該振動板部の該中央側において該磁気回路の位置する方向に延設された厚肉で柱状の突起部と、を含み、
該ダンパーが、該振動板の該突起部と連結する内周固定部と、該磁気回路と連結する外周固定部と、該内周固定部と該外周固定部とを振動可能に連結する支持可動部と、を含む、
動電型スピーカー。
【請求項２】
略バスケット状の基体を有して前記磁気回路と連結し前記振動板を収容するフレームと、該振動板の外周端および該フレームに連結するエッジと、をさらに備え、
該エッジが、該振動板の外周端に連結する内周固定部と、該フレームに固定される外周固定部と、該内周固定部と該外周固定部とを振動可能に連結する支持可動部と、を含み、
該振動板および該エッジが一体成形され、少なくとも該振動板と該エッジの該支持可動部が、異なる材料で構成される、
請求項１に記載の動電型スピーカー。
【請求項３】
前記磁気回路が、前記磁気空隙を形成し、かつ、前記ダンパーの前記外周固定部を連結するトッププレートまたはポールピースを含む、
請求項１または２に記載の動電型スピーカー。
【請求項４】
前記磁気回路が、その中央に背面側から前記ボイスコイルが規定する前記空間に連通する中央貫通孔と、背面側から前記磁気空隙に連通する複数の貫通孔と、を含む、
請求項１から３のいずれかに記載の動電型スピーカー。
【請求項５】
請求項４に記載の動電型スピーカーの製造方法であって、
前記磁気回路を形成する工程と、
板状の基体の所定位置に複数の係合部を有する治具に該磁気回路を載置して、該磁気回路の前記中央貫通孔および複数の前記貫通孔に該係合部を該磁気回路の背面側から挿入する工程と、
前記ダンパーの前記外周固定部を該磁気回路に連結し、かつ、該ダンパーの前記内周固定部を該治具の中央の該係合部の上に載置する工程と、
前記振動板と、該ボイスコイルと、を連結して振動系を構成する工程と、
該振動系を構成する該ボイスコイルを該磁気回路の該磁気空隙に配置し、かつ、該ボイスコイルを該治具の該係合部の上に載置するとともに、該振動板の前記突起部と該ダンパーの該内周固定部とを連結する工程と、
該治具を該磁気回路の背面側から抜去する工程と、
を含む動電型スピーカーの製造方法。
【発明の詳細な説明】
【技術分野】
【０００１】
本発明は、音声再生能力に優れる小型の動電型スピーカーであって、ボイスコイルボビンの円筒内側にダンパーを設けるスピーカーであっても、製造工程の工数削減が可能な動電型スピーカー、および、その製造方法に関する。
【背景技術】
【０００２】
音声を再生するスピーカーを取り付けるディスプレイ等の音響機器においては、スピーカーを取り付けるのに要する空間を小型化することが要望されている。特に、小型、または、細長形（矩形、長円形（楕円形、トラック形を含む））の動電型スピーカーは、ボイスコイルに音声信号電流を供給する錦糸線（またはリード線）を配置するスピーカー振動板背面側の空間が狭くなるので、錦糸線が振動板またはフレーム等に接触して異音が発生しやすいという問題がある。小型の動電型スピーカーでは、スピーカー振動板を含む振動系を支持するエッジないしダンパーを設けようとすると、さらに錦糸線が接触しやすくなり小型化できない、といった様々な理由から不利な点がある。したがって、従来には、これらの問題を解決するために、ダンパーをボイスコイルボビンの円筒外側に設けずに、ボイスコイルボビンの円筒内側にダンパーを設けるスピーカーがある。
【０００３】
例えば、従来には、ドーム振動板と、ボイスコイルボビンと、ダンパーと、磁気回路とを備えるスピーカーであって、ドーム振動板が、ドーム部の外周端からボイスコイルボビンの円筒内面に沿って延設された第１固定部と、第１固定部の外周端から略直角に延設された第２固定部を有し、ダンパーが、ボイスコイルボビンが規定する空間の内部に配され、ダンパーの内周端が、磁気回路に固定され、ダンパーの外周端が、ドーム部の外周端およびボイスコイルボビンの円筒内面に接合されるスピーカーがある。（特許文献１）。
【０００４】
また、ボイスコイルが巻回されるボビンと、ボビンが規定する空間の内部に配されてその外周側がボビンの円筒内面に固着されるダンパーと、ダンパーの内周側を固着するダンパー固着部を有するダンパー台と、ボイスコイルが配置される磁気空隙を有しダンパー台を固着する磁気回路と、を備えるスピーカー組立体であって、ダンパー台および磁気回路が、ダンパー台のダンパー固着部を、仮固定位置と本固定位置との間で移動させる振動系位置出し機構を構成し、ボビンが、その円筒内面から内径側へ突出し、その内径が磁気空隙の内径に略等しく設定される係合突起部を備え、係合突起部は、係合突起部とボイスコイルの中心位置との離間距離が、ダンパー台のダンパー固着部が仮固定位置と本固定位置との間で移動する移動距離に略等しくなる位置に設定され、ダンパー台が、磁気回路のトッププレートに形成された中央孔を貫通して突出するダンパー固着部と、磁気回路に当接してダンパー固着部を仮固定位置もしくは本固定位置のいずれかに位置させる係止部と、を備える、スピーカー組立体およびこれを用いるスピーカーがある。（特許文献２）。
【０００５】
また、ボイスコイルが巻回されるボビンと、ボビンと固着する振動板と、ボビンが規定する空間の内部に配されてその外周側がボビンの円筒内面に固着されるダンパーと、ボイスコイルが配置される磁気空隙を有しダンパーの内周側を固着する磁気回路と、振動板の外周側および磁気回路に固着するフレームと、を備えるスピーカーであって、振動板と、ダンパーと、ボビンとが、ダンパー上部空間を規定し、磁気回路と、ダンパーと、ボビンとが、ダンパー下部空間を規定し、ボビンが、その中間部から下端部に至る切欠部として規定されるボビン切欠部を周方向に等間隔で複数有し、ダンパーが、その中間部から外周端部に至る切欠部として規定されるダンパー切欠部を周方向に等間隔で複数有し、ダンパー切欠部は、ボビンの中間部において周方向に円弧状に形成された第１切欠部と、第１切欠部とボビンのボビン切欠部とを径方向に連結するように形成された第２切欠部と、から構成され、ダンパー上部空間とダンパー下部空間とを相互に連通するスピーカーがある（特許文献３）。
【先行技術文献】
【特許文献】
【０００６】
【特許文献１】特開２００４−２２１６９１号公報（図１）
【特許文献２】特開２００８−２７１３４１号公報（図１〜６）
【特許文献３】特開２００８−２７１３４２号公報（図１〜５）
【０００７】
しかしながら、ボイスコイルボビンの円筒内側にダンパーを設けるスピーカーでは、製造工程においてボイスコイルを磁気回路の磁気空隙の所定位置に配置するのが困難である、という問題がある。例えば、特許文献１の内側ダンパーを設けたスピーカーにおいては、あらかじめ外周側のエッジをボビンに固着する工程と、ボビンの内周側に挿入されるボイスコイルホルダを取り除く工程と、その後に内側ダンパーを磁気回路およびボビンに固着する工程と、ボビンの円筒上端にドーム振動板を固着する工程を要している。また、特許文献２の場合には、スピーカー組立体の振動系位置出し機構を要し、特許文献３のスピーカーでは、所定のボイスコイルホルダを要し、製造工程の工数が多く掛かり、高コストな動電型スピーカーになるという問題がある。
【発明の概要】
【発明が解決しようとする課題】
【０００８】
本発明は、上記の従来技術が有する問題を解決するためになされたものであり、その目的は、ボイスコイルボビンの円筒内側にダンパーを設けるスピーカーであっても、製造工程の工数削減が可能な動電型スピーカー、および、その製造方法を提供することにある。
【課題を解決するための手段】
【０００９】
本発明の動電型スピーカーは、樹脂材料を射出成形して形成する振動板と、振動板に連結するボイスコイルと、ボイスコイルが挿入される磁気空隙を有する磁気回路と、ボイスコイルが規定する空間の内部に配されてその内周側が振動板の中央側に連結しその外周側が磁気回路に固着されるダンパーと、を備え、振動板が、薄肉の振動板部と、振動板部の中央側において磁気回路の位置する方向に延設された突起部と、を含み、ダンパーが、振動板の突起部と連結する内周固定部と、磁気回路と連結する外周固定部と、内周固定部と外周固定部とを振動可能に連結する支持可動部と、を含む。
【００１０】
また、本発明の動電型スピーカーは、略バスケット状の基体を有して磁気回路と連結し振動板を収容するフレームと、振動板の外周端およびフレームに連結するエッジと、をさらに備え、エッジが、振動板の外周端に連結する内周固定部と、フレームに固定される外周固定部と、内周固定部と外周固定部とを振動可能に連結する支持可動部と、を含み、振動板およびエッジが一体成形され、少なくとも振動板とエッジの支持可動部が、異なる材料で構成される。
【００１１】
好ましくは、本発明の動電型スピーカーは、磁気回路が、磁気空隙を形成し、かつ、ダンパーの外周固定部を連結するトッププレートまたはポールピースを含む。
【００１２】
また、好ましくは、本発明の動電型スピーカーは、磁気回路が、その中央に背面側からボイスコイルが規定する空間に連通する中央貫通孔と、背面側から磁気空隙に連通する複数の貫通孔と、を含む。
【００１３】
また、本発明の動電型スピーカーの製造方法は、上記の動電型スピーカーの製造方法であって、磁気回路を形成する工程と、板状の基体の所定位置に複数の係合部を有する治具に磁気回路を載置して、磁気回路の中央貫通孔および複数の貫通孔に係合部を磁気回路の背面側から挿入する工程と、ダンパーの外周固定部を磁気回路に連結し、かつ、ダンパーの内周固定部を治具の中央の係合部の上に載置する工程と、振動板と、ボイスコイルと、を連結して振動系を構成する工程と、振動系を構成するボイスコイルを磁気回路の磁気空隙に配置し、かつ、ボイスコイルを治具の係合部の上に載置するとともに、振動板の突起部とダンパーの内周固定部とを連結する工程と、治具を磁気回路の背面側から抜去する工程と、を含む。
【００１４】
以下、本発明の作用について説明する。
【００１５】
本発明の動電型スピーカーは、樹脂材料を射出成形して形成する振動板と、振動板に連結するボイスコイルと、ボイスコイルが挿入される磁気空隙を有する磁気回路と、ボイスコイルが規定する空間の内部に配されてその内周側が振動板の中央側に連結しその外周側が磁気回路に固着されるダンパーと、を備える。つまり、動電型スピーカーは、ボイスコイルボビンの円筒内側にダンパーを設けるインナー型ダンパーの動電型スピーカーである。
【００１６】
動電型スピーカーは、さらに略バスケット状の基体を有して磁気回路と連結し振動板を収容するフレームと、振動板の外周端およびフレームに連結するエッジと、を備えていてもよい。磁気回路は、磁気空隙を形成し、かつ、ダンパーの外周固定部を連結するトッププレートまたはポールピースを含むものであれば、内磁型あるいは外磁型等を問わない。なお、略バスケット状の基体とは、エッジ取付部ないし取付部を構成するフレームの前側と、磁気回路固定部ないしダンパー取付部を構成するフレームの後側と、これらを連結して窓部を規定する連結部と、を少なくとも含む形状である。
【００１７】
振動板は、薄肉の振動板部と、振動板部の中央側において磁気回路の位置する方向に延設された突起部と、を含み、振動板およびエッジが一体成形されていてもよい。射出成形のゲート部分にあたる突起部は、振動板部の中央側に在って磁気回路の位置する方向に延設された厚肉で柱状の部分である。したがって、ボイスコイルが規定する空間の内部に配されるダンパーを、振動板の突起部と連結する内周固定部と、磁気回路と連結する外周固定部と、内周固定部と外周固定部とを振動可能に連結する支持可動部と、を含むように形成することで、インナー型ダンパーを備える動電型スピーカーを構成することができる。
【００１８】
樹脂材料を射出成形して形成する振動板およびエッジが一体成形される場合には、少なくとも振動板とエッジの支持可動部が、異なる材料で構成され、エッジは、振動板の外周端に連結する内周固定部と、フレームに固定される外周固定部と、内周固定部と外周固定部とを振動可能に連結する支持可動部と、を含む。つまり、振動板およびエッジは、２色成形等の方法により異なる樹脂で一体成形されていてもよく、少なくとも振動板とエッジの支持可動部が、異なる材料で構成されていればよい。振動板と、エッジをフレームに取り付けるガスケットに相当するエッジの外周固定部とが、同一の材料で構成される場合には、予め予備加工した錦糸線を含む振動系をフレームの基体の一方側から他方側へ向かって移動させて所定位置に載置する工程が容易になり、工数を削減することができる。
【００１９】
また、動電型スピーカーの磁気回路が、その中央に背面側からボイスコイルが規定する空間に連通する中央貫通孔と、背面側から磁気空隙に連通する複数の貫通孔と、を含む場合には、板状の基体の所定位置に複数の係合部を有する治具を背面側から抜き差しして動電型スピーカーを製造することができる。つまり、板状の基体の所定位置に複数の係合部を有する治具に磁気回路を載置して、磁気回路の中央貫通孔および複数の貫通孔に係合部を磁気回路の背面側から挿入すれば、ボイスコイルボビンの円筒内側にダンパーを配置した状態で容易に振動板と、ボイスコイルと、ダンバーとを連結することができる。ダンパーの外周固定部を磁気回路に連結し、かつ、ダンパーの内周固定部を治具の中央の係合部の上に載置し、予め振動板を連結したボイスコイルを磁気回路の磁気空隙に配置し、かつ、ボイスコイルを治具の係合部の上に載置するとともに、振動板の突起部とダンパーの内周固定部とを連結すると、動電型スピーカーの振動系を振動可能に構成することができる。
【発明の効果】
【００２０】
本発明の動電型スピーカーは、ボイスコイルボビンの円筒内側にダンパーを設けるスピーカーであっても、製造工程の工数削減が可能な動電型スピーカーを提供することができる。
【図面の簡単な説明】
【００２１】
【図１】本発明の好ましい実施形態による動電型スピーカー１を説明する斜視図である。（実施例１）
【図２】本発明の好ましい実施形態による動電型スピーカー１を説明する背面側斜視図である。（実施例１）
【図３】本発明の好ましい実施形態による動電型スピーカー１を説明する展開図である。（実施例１）
【図４】本発明の好ましい実施形態による振動板２およびエッジ３の構成を説明する背面側斜視図である。（実施例１）
【図５】本発明の好ましい実施形態による動電型スピーカー１の製造方法を説明する断面図である。（実施例１）
【図６】本発明の好ましい実施形態による動電型スピーカー１の製造方法を説明する断面図である。（実施例１）
【発明を実施するための形態】
【００２２】
以下、本発明の好ましい実施形態による動電型スピーカー、および、その製造方法について説明するが、本発明はこれらの実施形態には限定されない。
【実施例１】
【００２３】
図１および図２は、本発明の好ましい実施形態による動電型スピーカー１を説明する図である。具体的には、図１は、動電型スピーカー１を前面側から見た斜視図であり、図２は、動電型スピーカー１を背面側から見た斜視図である。また、図３は、動電型スピーカー１の構成を説明する展開図であり、説明に不要な一部の部品を除いた斜視図である。図４は、振動板２およびエッジ３の構成を説明する背面側斜視図である。また、図５および６は、動電型スピーカー１の製造方法を説明する断面図である。なお、説明に不用な動電型スピーカー１の一部の構造や、内部構造等は、省略している。また、点Ａ−Ｏ−Ａ’を結ぶ直線（長軸）が延びる方向が長径方向であり、また、点Ｂ−Ｏ−Ｂ’
を結ぶ直線（短軸）が延びる方向が短径方向である。
【００２４】
本実施例の動電型スピーカー１は、トラック形の振動板２を有する細長形の動電型スピーカーであり、ボイスコイル４のボビン４ｂの円筒内側にダンパー５を設けるインナー型ダンパーの動電型スピーカーである。振動板２は、エッジ３によってその外周端を支持されており、エッジ３の外周端は、フレーム６に固定されている。また、フレーム６は、トラック形の振動板２に対応した細長形状であり、フレーム６に収容されるように固定される磁気回路１０も、短径方向の幅が狭い細長形状を有している。したがって、動電型スピーカー１は、ディスプレイ等の機器が有する表示部の側面など、スピーカーを取り付ける幅が少ない機器に適する動電型スピーカーである。フレーム６の側面側には、音声信号電流が供給される端子８が取り付けられ、背面側には磁気回路１０の一部が露出している。
【００２５】
本実施例の振動板２は、トラック形の外形寸法が約１２ｍｍ×３６ｍｍであって、ポリオレフィン系熱可塑性樹脂を材料として厚みを約０．２ｍｍに成形したトラック状のスピーカー振動板であり、その外周端部をエッジ３で振動可能に自由支持されている。振動板２は、中央側の振動板部２ａに複数のリブを備え、断面が浅いコーン形状になる外周端部との境界部分に、背面側からボイスコイル４が連結する。
【００２６】
振動板２は、樹脂材料を射出成形して形成するので、図４に図示するように、薄肉の振動板部２ａと、振動板部２ａの中央側において磁気回路１０の位置する背面側方向に延設された突起部２ｂと、を含む。振動板２の突起部２ｂは、射出成形のゲート部分にあたり、振動板部２ａの中央側に在って磁気回路１０の位置する方向に延設された厚肉で柱状の部分である。したがって、振動板２は、この突起部２ｂに内周側が連結し、磁気回路１０に外周側が固定される後述するダンパー５によって、振動可能に支持される。
【００２７】
エッジ３は、振動板２の外周端に連結する内周固定部３ａと、後述するフレーム６のエッジ取付部６１に固定される外周固定部３ｂと、内周固定部３ａと外周固定部３ｂとを振動可能に連結する支持可動部３ｃと、を含む。外周固定部３ｂは、厚みを持たせてガスケットとして兼用してもよい。また、支持可動部３ｃは、断面が略ロール状のロールエッジ、もしくは、コルゲーションをもつコルゲーションエッジでもよい。エッジ３は、支持可動部３ｃを、内周固定部３ａおよび外周固定部３ｂよりも柔軟で硬度が低い異なる材料で形成すれば良く、ポリオレフィン系熱可塑性樹脂、あるいは、他のポリスチレン系熱可塑性樹脂、ポリエチレン系熱可塑性樹脂、ポリウレタン系熱可塑性樹脂、等で形成してもよい。エッジ３は、別々に製造する振動板２と接着剤で連結して形成してもよく、また、本実施例のように２色成形等の製造方法により振動板２と一体に形成してもよい。振動板２およびエッジ３の外周固定部３ｂを、２色成形等の製造方法により同一の材料で構成する場合には、予め振動板２およびエッジ３が一体化されるので、動電型スピーカー１の製造工程において、作業工数を削減することができる。
【００２８】
ボイスコイル４は、筒状のボビン４ｂに対してコイル４ａが巻回されて、トラック形に形成される。また、錦糸線７は、ボイスコイル４のコイル４ａに一方端側が接続及び固定される。したがって、２本の錦糸線７が、ボイスコイル４に音声信号を供給するために、コイル４ａの両端に接続される。また、錦糸線７の他端側は、後述するフレーム６に固定される端子８に接続及び固定される。ボイスコイル４は、そのボビン４ｂの円筒内側にダンパー５を配置する。
【００２９】
ダンパー５は、柔軟性を有する繊維の織布を基材としてフェノール樹脂を含浸して成形するダンパーである。ダンパー５は、振動板２の突起部２ｂと連結する内周固定部５ａと、磁気回路１０と連結する外周固定部５ｂと、内周固定部５ａと外周固定部５ｂとを振動可能に連結する支持可動部５ｃと、を含む。本実施例のダンパー５は、なお、ダンパー５は、内周固定部５ａおよび外周固定部５ｂが丸形であるが、外周固定部５ｂが細長い異形のダンパーであってもよく、また、樹脂を射出成形して形成する蝶ダンパーであっても良く、また、樹脂板をプレス加工して形成する部材であってもよい。ダンパー５は、振動板２または磁気回路１０と、接着剤により連結される。
【００３０】
フレーム６は、樹脂で形成されて略バスケット状の基体を有する。フレーム６は、基体の一方側に形成されるエッジ３を取り付けるエッジ取付部と、基体の他方側に形成される磁気回路を取り付ける磁気回路取付部と、エッジ取付部と磁気回路取付部とを連結して複数の窓部を規定する連結部と、２つの端子８を固定する端子固定部と、を有する。基体のエッジ取付部の四隅には、動電型スピーカー１を他の筐体等に取り付けるためのネジ孔が形成されている。なお、フレーム６は、鋼板をプレス成型して形成する金属フレームであってもよい。
【００３１】
磁気回路１０は、断面が壺状のヨーク１１を備え、その内側に貫通孔を有する環状形状のマグネット１２およびプレート１３を載置して、プレート１３とヨーク１１の側壁部との間にトラック形の磁気空隙１４を形成する内磁型の磁気回路である。その結果、磁気空隙１４には、高い磁束密度を示す磁界が形成されるので、この動電型スピーカー１では、ボイスコイル４のコイル４ａが、この磁気空隙１４に配置される。磁気回路１０は、フレーム６の磁気回路取付部に連結する。図２に示すように、磁気回路１０のヨーク１１は、その背面側に複数の貫通孔を備えるので、磁気回路１０には、その前面側に連通する中央の貫通孔１５と、磁気空隙１４に連通する４つの貫通孔１６と、が規定される。磁気回路１０を構成する各部材は、接着剤で固定される。また、磁気回路１０も、フレーム６の固定部に接着剤で固定される。なお、磁気回路１０は、直線状の磁気空隙１４を形成し、かつ、ダンパー５の外周固定部５ｂを連結するトッププレートまたはポールピースを含むものであれば、内磁型あるいは外磁型等を問わず、本実施例の構成に限定されない。
【００３２】
本実施例の動電型スピーカー１は、上記の通り、振動板２が、薄肉の振動板部２ａと、振動板部２ａの中央側において磁気回路１０の位置する方向に延設された突起部２ｂと、を含み、ダンパー５が、振動板２の突起部２ｂと連結する内周固定部５ａと、磁気回路１０と連結する外周固定部５ｂと、内周固定部５ａと外周固定部５ｂとを振動可能に連結する支持可動部５ｃと、を含むので、図５および図６に示すように、インナー型ダンパーを備える構成が可能になる。
【００３３】
本実施例の動電型スピーカー１の製造工程では、図５および図６に示すように、所定の組立治具２０の上に磁気回路１０を載置して、その上にフレーム６と、および、振動板２およびエッジ３およびボイスコイル４を含む振動系と、を順番に載置していくようにすれば、ボイスコイル４のコイル４ａが磁気回路１０の磁気空隙１４に配置されるようにすることができる。組立治具２０は、平板状の基体２１から、磁気回路１０の中央の貫通孔１５に係合する係合部２２と、磁気回路１０の磁気空隙１４に連通する貫通孔１６に係合する係合部２３と、が突出するように設けられている。係合部２２の先端部は、振動板２の突起部２ｂとダンパー５の内周固定部５ａとが連結する位置を規定し、係合部２３の段部は、磁気回路１０の磁気空隙１４において、ボイスコイル４のコイル４ａが振動可能になる所定位置を規定する。
【００３４】
具体的には、動電型スピーカー１の製造工程では、予め磁気回路１０を形成し、係合部２２および２３を有する組立治具２０に磁気回路１０を載置して、磁気回路１０の中央の貫通孔１５および４つの貫通孔１６に対応するそれぞれの係合部２２および２３を磁気回路１０の背面側から挿入する。次に、ダンパー５の外周固定部５ｂを磁気回路１０のプレート１３に接着剤で連結し、かつ、ダンパー５の内周固定部５ａを組立治具２０の中央の係合部２２の上に載置する。さらに、振動板２と、ボイスコイル４と、を連結して予め振動系を構成し、振動系を構成するボイスコイル４を磁気回路１０の磁気空隙１４に配置し、かつ、ボイスコイル４を組立治具２０の係合部２３の上に載置するとともに、振動板２の突起部２ｂとダンパー５の内周固定部５ａとを接着剤で連結する。したがって、接着剤が固化した後に組立治具２０を抜去すれば、振動板２、エッジ３、コイル４、および、ダンパー５からなるスピーカー振動系は、フレーム６および磁気回路１０に対して振動可能に支持される。
【００３５】
本実施例のように、振動板２およびエッジ３が、樹脂材料を射出成形して一体成形される場合には、少なくとも振動板２とエッジ３の支持可動部３ｃが、異なる材料で構成される。つまり、振動板２およびエッジ３は、２色成形等の方法により異なる樹脂で一体成形されていてもよく、少なくとも振動板２とエッジ３の支持可動部３ｃが、異なる材料で構成されていればよい。エッジ３は、別々に製造する振動板２と接着剤で連結して形成してもよいが、振動板２と、エッジ３をフレーム６に取り付けるガスケットに相当する外周固定部３ｂとが、同一の材料で構成される場合には、予め予備加工した錦糸線７を含む振動系をフレーム６の基体の一方側から他方側へ向かって移動させて所定位置に載置する工程が容易になる。
【００３６】
動電型スピーカー１は、従来のボイスコイルボビンの円筒内側にダンパーを設けるスピーカーに比較して、製造工程においてボイスコイル４を磁気回路１０の磁気空隙１４の所定位置に配置するのが容易になるので工数を削減することができる。ダンパー５を含む振動系を構成することができる結果、ダンパー５がボイスコイル４のほぼ中心位置で振動可能に支持するので、ボイスコイル４のローリングを抑制して、動作の安定した音声再生能力に優れる動電型スピーカー１にすることができる。
【００３７】
また、上記の実施例の動電型スピーカー１は、長径方向に比べて短径方向が短いトラック形のスピーカーであるが、外径が円形のコーン形状の振動板を備え、この円形のスピーカー振動板に対応する略円形のフレームを用いるスピーカーにも、適用可能である。小型のスピーカーにおいて略円形のフレームの形状寸法に制限がある場合に、ダンパー５を含む振動系を構成することができるので、ボイスコイル４が他の部分に接触して異音を生じるという動作不良を少なくすることができ、動作の安定したスピーカーを実現できる。
【産業上の利用可能性】
【００３８】
本発明の動電型スピーカーは、ディスプレイ等の映像・音響機器に内蔵するスピーカーとしてのみならず、音声を再生するスピーカーを内蔵するキャビネットを有するゲーム機、スロットマシン等の遊戯機にも適用が可能である。また、本発明の動電型スピーカーおよびその製造法は、小型のスピーカーのみならず、ヘッドホンにも適用が可能である。
【符号の説明】
【００３９】
１、１ａ      スピーカー
２            振動板
３、３０      エッジ
４            ボイスコイル    
５            ダンパー
６            フレーム
７            錦糸線
８            端子
１０          磁気回路
２０          組立治具
【図１】
2013145994.tif 000003
【図２】
2013145994.tif 000004
【図３】
2013145994.tif 000005
【図４】
2013145994.tif 000006
【図５】
2013145994.tif 000007
【図６】
2013145994.tif 000008